(57)【要約】  本書に記載の実装態様は概して、フレキシブルディスプレイデバイス及びフレキシブルカバーレンズを備えたカバーレンズアセンブリに関する。１又は複数の実施形態では、カバーレンズアセンブリが提供され、第１のフレキシブルカバーレンズ、第２のフレキシブルカバーレンズ、及び第１のフレキシブルカバーレンズと第２のフレキシブルカバーレンズとの間に配置される犠牲接着を含む。第１のフレキシブルカバーレンズは、約４Ｈから約９Ｈの範囲の硬度を有する第１のハードコート層と第１の基板とを含む。第２のフレキシブルカバーレンズは、約２Ｈから約９Ｈの範囲の硬度を有する第２のハードコート層を含む。第１の基板は、第１のハードコート層と犠牲接着層との間に配置される。【選択図】図７
2021523413.tif 000002
【特許請求の範囲】
【請求項１】
第１のフレキシブルカバーレンズであって、
約４Ｈから約９Ｈの範囲の硬度を有する第１のハードコート層と、
第１の基板と
を含む第１のフレキシブルカバーレンズと、
第２のフレキシブルカバーレンズであって、
約２Ｈから約９Ｈの範囲の硬度を有する第２のハードコート層
を含む第２のフレキシブルカバーレンズと、
前記第１のフレキシブルカバーレンズと前記第２のフレキシブルカバーレンズとの間に配置される犠牲接着層であって、前記第１の基板が前記第１のハードコート層と前記犠牲接着層との間に配置される、犠牲接着層と
を備える、カバーレンズアセンブリ。
【請求項２】
前記第１のフレキシブルカバーレンズが更に第１の衝撃吸収層を含み、前記第１の基板が前記第１のハードコート層と前記第１の衝撃吸収層との間に配置される、請求項１に記載のカバーレンズアセンブリ。
【請求項３】
前記第２のフレキシブルカバーレンズが更に第２の衝撃吸収層を含み、前記第２のハードコート層が前記犠牲接着層と前記第２の衝撃吸収層との間に配置される、請求項２に記載のカバーレンズアセンブリ。
【請求項４】
前記第２のフレキシブルカバーレンズが更に第２の衝撃吸収層を含み、前記第２のハードコート層が前記犠牲接着層と前記第２の衝撃吸収層との間に配置される、請求項１に記載のカバーレンズアセンブリ。
【請求項５】
前記第２のフレキシブルカバーレンズが更に第２の基板を含み、前記第２のハードコート層が前記犠牲接着層と前記第２の基板との間に配置される、請求項１に記載のカバーレンズアセンブリ。
【請求項６】
前記第２のフレキシブルカバーレンズが更に、
第２の衝撃吸収層と、
前記第２のハードコート層と前記第２の衝撃吸収層との間に配置される第２の基板と
を含む、請求項１に記載のカバーレンズアセンブリ。
【請求項７】
前記犠牲接着層が、アクリレート、シリコーン、熱可塑性接着剤、エラストマー接着剤、及びそれらの組み合わせからなる群から選択されるポリマー又はオリゴマー材料を含む、請求項１に記載のカバーレンズアセンブリ。
【請求項８】
前記犠牲接着層は約６０℃から約１２０℃の温度で分解可能である、請求項１に記載のカバーレンズアセンブリ。
【請求項９】
前記犠牲接着層は約３５０ｎｍから約３７５ｎｍの波長を有する紫外線に約０．５秒から約３０秒間曝露されると分解可能である、請求項１に記載のカバーレンズアセンブリ。
【請求項１０】
前記第１のハードコート層及び前記第２のハードコート層のそれぞれが独立して、酸化ケイ素、窒化ケイ素、酸窒化ケイ素、放射線硬化性アクリレート、脂肪族ウレタンアクリレート、それらのコポリマー、それらのエラストマー、及びそれらの任意の組み合わせからなる群から選択される材料を含む、請求項１に記載のカバーレンズアセンブリ。
【請求項１１】
前記第１のハードコート層及び前記第２のハードコート層が独立して、約６Ｈから約９Ｈの硬度を有する、請求項１に記載のカバーレンズアセンブリ。
【請求項１２】
第１のフレキシブルカバーレンズであって、
約４Ｈから約９Ｈの範囲の硬度を有する第１のハードコート層と、
第１の衝撃吸収層と、
前記第１のハードコート層と前記第１の衝撃吸収層との間に配置される第１の基板と
を含む第１のフレキシブルカバーレンズと、
第２のフレキシブルカバーレンズであって、
約２Ｈから約９Ｈの範囲の硬度を有する第２のハードコート層と、
第２の衝撃吸収層と、
前記第２のハードコート層と前記第２の衝撃吸収層との間に配置される第２の基板と
を含む第２のフレキシブルカバーレンズと、
前記第１の衝撃吸収層と前記第２のハードコート層との間に配置される犠牲接着層と
を備える、カバーレンズアセンブリ。
【請求項１３】
前記第１のハードコート層及び前記第１の衝撃吸収層のそれぞれが独立して、前記犠牲接着層とは異なる接着剤によって前記第１の基板に接着される、請求項１２に記載のカバーレンズアセンブリ。
【請求項１４】
前記第２のハードコート層及び前記第２の衝撃吸収層のそれぞれが独立して、前記犠牲接着層とは異なる接着剤によって前記第２の基板に接着される、請求項１２に記載のカバーレンズアセンブリ。
【請求項１５】
前記第１のハードコート層及び前記第２のハードコート層のそれぞれが独立して、酸化ケイ素、窒化ケイ素、酸窒化ケイ素、放射線硬化性アクリレート、脂肪族ウレタンアクリレート、それらのコポリマー、それらのエラストマー、及びそれらの任意の組み合わせからなる群から選択される材料を含む、請求項１２に記載のカバーレンズアセンブリ。
【請求項１６】
前記第１の基板及び前記第２の基板のそれぞれが独立して、約５μｍから約２００μｍの範囲の厚さを有する、請求項１２に記載のカバーレンズアセンブリ。
【請求項１７】
前記第１の基板及び前記第２の基板のそれぞれが独立して、ポリエチレンテレフタレート、トリアセチルセルロース、ポリカーボネート、ポリイミド、ポリアミド、それらのコポリマー、それらのエラストマー、及びそれらの任意の組み合わせからなる群から選択される材料を含む、請求項１２に記載のカバーレンズアセンブリ。
【請求項１８】
前記第１の衝撃吸収層及び前記第２の衝撃吸収層のそれぞれが独立して、エーテルウレタン、エステルウレタン、脂肪族ウレタン、脂肪族ポリウレタン、脂肪族ポリエステルウレタン、ポリスルフィド熱硬化性樹脂、それらのコポリマー、それらのエラストマー、及びそれらの任意の組み合わせからなる群から選択される材料を含む、請求項１２に記載のカバーレンズアセンブリ。
【請求項１９】
前記第１のハードコート層及び前記第２のハードコート層のそれぞれが独立して、約０．１μｍから約４０μｍの範囲の厚さを有する、請求項１２に記載のカバーレンズアセンブリ。
【請求項２０】
前記第１の衝撃吸収層及び前記第２の衝撃吸収層のそれぞれが独立して、約５μｍから約１２０μｍの範囲の厚さを有する、請求項１２に記載のカバーレンズアセンブリ。
【請求項２１】
フレキシブルカバーレンズであって、
約４Ｈから約９Ｈの範囲の硬度及び約０．１μｍから約４０μｍの範囲の厚さを有するハードコート層と、
約５μｍから約２００μｍの範囲の厚さを有する基板と
を含むフレキシブルカバーレンズと、
前記カバーレンズの下面に配置される犠牲接着層と
を備える、カバーレンズアセンブリ。
【請求項２２】
前記カバーレンズが更に約５μｍから約１２０μｍの範囲の厚さを有する衝撃吸収層を含み、前記基板が前記ハードコート層と前記衝撃吸収層との間に配置される、請求項２１に記載のカバーレンズアセンブリ。
【請求項２３】
第１のフレキシブルカバーレンズであって、
約４Ｈから約９Ｈの範囲の硬度を有する第１のハードコート層と、
第１の基板と
を含む第１のフレキシブルカバーレンズと、
第２のフレキシブルカバーレンズであって、
約２Ｈから約９Ｈの範囲の硬度を有する第２のハードコート層
を含む第２のフレキシブルカバーレンズと、
前記第１のフレキシブルカバーレンズと前記第２のフレキシブルカバーレンズとの間に配置される犠牲接着層であって、前記第１の基板が前記第１のハードコート層と前記犠牲接着層との間に配置される、犠牲接着層と、
ディスプレイ構造と、
前記第２のフレキシブルカバーレンズと前記ディスプレイ構造との間に配置される接着剤層であって、前記犠牲接着層が前記接着剤層とは異なる組成を有する、接着剤層と
を備える、ディスプレイデバイス。
【請求項２４】
前記ディスプレイ構造がＯＬＥＤディスプレイ又はＬＣＤディスプレイを含む、請求項２３に記載のディスプレイデバイス。
【請求項２５】
前記犠牲接着層が、アクリレート、シリコーン、熱可塑性接着剤、エラストマー接着剤、及びそれらの組み合わせからなる群から選択されるポリマー又はオリゴマー材料を含む、請求項２３に記載のディスプレイデバイス。
【請求項２６】
前記犠牲接着層が約３５０ｎｍから約３７５ｎｍの波長を有する紫外線に約０．５秒から約３０秒間曝露されると分解可能である、請求項２３に記載のディスプレイデバイス。
【請求項２７】
第１のフレキシブルカバーレンズであって、
約４Ｈから約９Ｈの範囲の硬度を有する第１のハードコート層と、
第１の衝撃吸収層と、
前記第１のハードコート層と前記第１の衝撃吸収層との間に配置される第１の基板と
を含む第１のフレキシブルカバーレンズと、
第２のフレキシブルカバーレンズであって、
約２Ｈから約９Ｈの範囲の硬度を有する第２のハードコート層と、
第２の衝撃吸収層と、
前記第２のハードコート層と前記第２の衝撃吸収層との間に配置される第２の基板と
を含む第２のフレキシブルカバーレンズと、
前記第１のフレキシブルカバーレンズと前記第２のフレキシブルカバーレンズとの間に配置される犠牲接着層と、
ディスプレイ構造と、
前記第２のフレキシブルカバーレンズと前記ディスプレイ構造との間に配置される接着剤層であって、前記犠牲接着層が前記接着剤層とは異なる組成を有する、接着剤層と
を備える、ディスプレイデバイス。
【請求項２８】
前記第１のハードコート層及び前記第２のハードコート層のそれぞれが独立して約０．１μｍから約４０μｍの範囲の厚さを有し、前記第１の基板及び前記第２の基板のそれぞれが独立して約５μｍから約２００μｍの範囲の厚さを有し、前記第１の衝撃吸収層及び前記第２の衝撃吸収層のそれぞれが独立して約５μｍから約１２０μｍの範囲の厚さを有する、請求項２７に記載のディスプレイデバイス。
【請求項２９】
前記ディスプレイ構造が、ＯＬＥＤディスプレイ又はＬＣＤディスプレイを含む、請求項２７に記載のディスプレイデバイス。
【発明の詳細な説明】
【技術分野】
【０００１】
［０００１］本書に記載の実装態様は概して、フレキシブルディスプレイデバイス、より具体的には、フレキシブルカバーレンズに関する。
【背景技術】
【０００２】
［０００２］電子デバイスは、多くの場合、液晶ディスプレイ（ＬＣＤ）や有機発光ダイオード（ＯＬＥＤ）ディスプレイ等のディスプレイを有する。上記ディスプレイは壊れやすく、湿気、圧力、又は粒子汚染に敏感であり得る。一般に、ディスプレイデバイスは、光学装置の幾つかの層を使用して、照明源からの光を着色、偏光、及びシャッターする。下膜への損傷を防ぐために、他の層の上に剛性のディスプレイカバーレンズ層を装着して、下層への損傷を防ぐ。剛性のディスプレイカバーレンズを含めると、電子デバイスに望ましくない重量が加わり得る。カバーレンズを省略すればデバイスのサイズと重量を減らすことができるが、カバーレンズを省略すると、ディスプレイがひっかき傷で損傷されやすくなる。
【０００３】
［０００３］製品の新機能に対する需要の高まりと、新たな幅広い用途の活用により、可撓性等の新しい特性を備えた、より薄くて軽いレンズ基板が求められている。概して、これらの新しいフレキシブル又は折りたたみ式ディスプレイのカバーレンズには、３つの主要な特性：１）光学性能、２）高硬度、３）可撓性が所望される。優れた光学性能により、ヘイズがほとんどなく、光の透過が良好になる。高硬度は耐擦傷性と耐摩耗性に関連する。カバーレンズの可撓性は十分に高い臨界ひずみを有するため、繰り返し曲げたり折りたたんだりしたときに亀裂や層間剥離による破損が回避される。
【０００４】
［０００４］従来、カバーレンズは最初の２つの特性（光学性能や硬度等）への対応には優れているが、脆い性質のために３番目の特性（可撓性等）には劣っている。可撓性を向上させるため、主にガラスの厚さを減らす、又は材料を化学修飾することによってガラスの破損時の臨界ひずみを増加させるために、かなりの事前努力が行われてきた。それにもかかわらず、カバーレンズの材料としてのガラスは、ガラスが破損したときにカバー全体を交換しなければならないことがわかっている。カバーレンズの代替解決策により、優れた光学性能と柔軟性がもたらされ得るが、通常、摩耗やひっかき傷に対して脆弱である。ひっかき傷で損傷した場合、カバー全体を交換する必要がある。カバーレンズの交換には、特定の専門知識と時間が必要であり、多大な費用がかかる。
【０００５】
［０００５］したがって、可撓性があり、簡単に交換できるカバーレンズが必要である。
【発明の概要】
【０００６】
［０００６］本書に記載の実装態様は概して、フレキシブルディスプレイデバイスに関する。１又は複数の実施形態では、カバーレンズアセンブリが提供され、第１のフレキシブルカバーレンズ、第２のフレキシブルカバーレンズ、及び第１のフレキシブルカバーレンズと第２のフレキシブルカバーレンズとの間に配置される犠牲接着を含む。第１のフレキシブルカバーレンズは、約４Ｈから約９Ｈの範囲の硬度を有する第１のハードコート層と第１の基板とを含む。第２のフレキシブルカバーレンズは、約２Ｈから約９Ｈの範囲の硬度を有する第２のハードコート層を含む。第１の基板は、第１のハードコート層と犠牲接着層との間に配置される。
【０００７】
［０００７］幾つかの実施形態では、カバーレンズアセンブリが提供され、第１のフレキシブルカバーレンズ、第２のフレキシブルカバーレンズ、及び第１のフレキシブルカバーレンズと第２のフレキシブルカバーレンズとの間に配置される犠牲接着を含む。第１のフレキシブルカバーレンズは、約４Ｈから約９Ｈの範囲の硬度を有する第１のハードコート層、第１の衝撃吸収層、及び第１のハードコート層と第１の衝撃吸収層との間に配置される第１の基板とを含む。第２のフレキシブルカバーレンズは、約２Ｈから約９Ｈの範囲の硬度を有する第２のハードコート層、第２の衝撃吸収層、及び第２のハードコート層と第２の衝撃吸収層との間に配置される第２の基板とを含む。
【０００８】
［０００８］他の実施形態では、カバーレンズアセンブリが提供され、フレキシブルカバーレンズ及び犠牲接着層を含む。フレキシブルカバーレンズは、約４Ｈから約９Ｈの範囲の硬度及び約０．１μｍから約４０μｍの範囲の厚さを有するハードコート層と、約５μｍから約２００μｍの範囲の厚さを有する基板とを含む。犠牲接着層は、カバーレンズの下面に配置される。
【０００９】
［０００９］１又は複数の実施形態では、ディスプレイデバイスが提供され、第１のフレキシブルカバーレンズ、第２のフレキシブルカバーレンズ、犠牲接着、ディスプレイ構造、及び接着剤層を含む。第１のフレキシブルカバーレンズは、約４Ｈから約９Ｈの範囲の硬度を有する第１のハードコート層と第１の基板とを含む。第２のフレキシブルカバーレンズは、約２Ｈから約９Ｈの範囲の硬度を有する第２のハードコート層を含む。犠牲接着層は、第１のフレキシブルカバーレンズと第２のフレキシブルカバーレンズとの間に配置され、第１の基板は、第１のハードコート層と犠牲接着層との間に配置される。接着剤層は、第２のフレキシブルカバーレンズとディスプレイ構造との間に配置され、犠牲接着層は、接着剤層とは異なる組成を有する。
【００１０】
［００１０］幾つかの実施形態では、ディスプレイデバイスが提供され、第１のフレキシブルカバーレンズ、第２のフレキシブルカバーレンズ、犠牲接着、ディスプレイ構造、及び接着剤層を含む。第１のフレキシブルカバーレンズは、約４Ｈから約９Ｈの範囲の硬度を有する第１のハードコート層、第１の衝撃吸収層、及び第１のハードコート層と第１の衝撃吸収層との間に配置される第１の基板とを含む。第２のフレキシブルカバーレンズは、約２Ｈから約９Ｈの範囲の硬度を有する第２のハードコート層、第２の衝撃吸収層、及び第２のハードコート層と第２の衝撃吸収層との間に配置される第２の基板とを含む。犠牲接着層は、第１のフレキシブルカバーレンズと第２のフレキシブルカバーレンズとの間に配置される。接着剤層は、第２のフレキシブルカバーレンズとディスプレイ構造との間に配置され、犠牲接着層は、接着剤層とは異なる組成を有する。
【００１１】
［００１１］上述した本開示の特徴を詳細に理解できるように、一部が添付の図面に例示されている実装態様を参照しながら、上記に要約した本開示をより具体的に説明する。しかし、添付の図面は本開示の典型的な実施形態のみを示すものであり、したがって、範囲を限定するものと見なすべきではなく、本開示は他の等しく有効な実装態様も許容しうることに留意されたい。
【図面の簡単な説明】
【００１２】
【図１】本書に記載の１又は複数の実施形態に係るカバーレンズアセンブリを示す概略断面図である。
【図２】本書に記載の１又は複数の実施形態に係るディスプレイデバイスを示す概略断面図である。
【図３】本書に記載の１又は複数の実施形態に係る別のディスプレイデバイスを示す概略断面図である。
【図４】本書に記載の１又は複数の実施形態に係る別のディスプレイデバイスを示す概略断面図である。
【図５】本書に記載の１又は複数の実施形態に係る別のディスプレイデバイスを示す概略断面図である。
【図６】本書に記載の１又は複数の実施形態に係る別のディスプレイデバイスを示す概略断面図である。
【図７】本書に記載の１又は複数の実施形態に係る別のディスプレイデバイスを示す概略断面図である。
【図８】本書に記載の１又は複数の実施形態に係る別のディスプレイデバイスを示す概略断面図である。
【図９】本書に記載の１又は複数の実施形態に係る別のディスプレイデバイスを示す概略断面図である。
【図１０】本書に記載の１又は複数の実施形態に係るディスプレイ構造を示す概略断面図である。
【００１３】
［００２２］理解しやすくするために、可能な場合は、図に共通する同一の要素を示すために同一の参照番号が使用されている。１つの実装態様の要素及び特徴は、更なる詳述なくとも、他の実装態様に有益に組み込まれ得ると考えられる。
【発明を実施するための形態】
【００１４】
［００２３］本書に記載の実装態様は概して、フレキシブルディスプレイデバイスに関し、より具体的には、多層膜スタックを備えたフレキシブルカバーレンズを含むカバーレンズアセンブリに関する。
【００１５】
［００２４］図１に、本書に記載の１又は複数の実施形態に係るカバーレンズアセンブリ１００の概略断面図を示す。カバーレンズアセンブリ１００は、第１のフレキシブルカバーレンズ１１０、第２のフレキシブルカバーレンズ１６０、及び第１のフレキシブルカバーレンズ１１０と第２のフレキシブルカバーレンズ１６０との間に配置される犠牲接着層１５０とを含む。上部保護膜１０５は、第１のフレキシブルカバーレンズ１１０の上に配置されるが、上部保護膜１０５は任意であり、カバーレンズアセンブリ１００から省略され得ることが理解されるべきである。上部保護膜１０５は、１又は複数の反射防止層、１又は複数の指紋防止層、又はそれらの組み合わせ等の１又は複数の層であり得る、又はそれらを含み得る。
【００１６】
［００２５］第１のフレキシブルカバーレンズ１１０は、第１のハードコート層１２０、第１の基板１３０、及び第１の衝撃吸収層１４０を含む。１又は複数の実施形態では、第１の基板１３０は、図１に示すように、第１のハードコート層１２０と第１の衝撃吸収層１４０との間に配置され、それらに接着される。第２のフレキシブルカバーレンズ１６０は、第２のハードコート層１７０、第２の基板１８０、及び第２の衝撃吸収層１９０を含む。１又は複数の実施形態では、第２の基板１８０は、図１に示すように、第２のハードコート層１７０と第２の衝撃吸収層１９０との間に配置され、それらに接着される。１又は複数の例では、犠牲接着層１５０は、第１のフレキシブルカバーレンズ１１０の第１の衝撃吸収層１４０と、第２のフレキシブルカバーレンズ１６０の第２のハードコート層１７０との間に配置される。
【００１７】
［００２６］１又は複数の実施形態では、第１のフレキシブルカバーレンズ１１０を取り外して交換することが所望される場合（例えば、ひっかき傷又は他の損傷を受けているため）、第１のフレキシブルカバーレンズ１１０を第２のフレキシブルカバーレンズ１６０又は他のディスプレイ構造から分離するために、犠牲接着層１５０が選択的に分解、破壊、又は他の方法で除去され得る。第１のフレキシブルカバーレンズ１１０は、以下に更に説明及び記載するように、犠牲接着層１５０を所定の温度、所定の波長及び／又は線量の紫外線（ＵＶ）光、及び／又は所定の機械的除去機構に曝露することによって、第２のフレキシブルカバーレンズ１６０から分離することができる。
【００１８】
［００２７］第１のハードコート層１２０及び第２のハードコート層１７０のそれぞれは独立して、酸化ケイ素、窒化ケイ素、酸窒化ケイ素、放射線硬化性アクリレート、脂肪族ウレタンアクリレート、それらのコポリマー、それらのエラストマー、及びそれらの任意の組み合わせから選択される１又は複数の材料を含み得る。１又は複数の例では、第１のハードコート層１２０及び／又は第２のハードコート層１７０は、堆積コーティングされ得る、又は真空処理、大気処理、溶液処理、又は他の堆積又はコーティング技法によって形成され、オプションとして熱及び／又はＵＶ露光で処理又は硬化される。
【００１９】
［００２８］第１のハードコート層１２０は、鉛筆硬度スケールに基づいて、約２Ｈ、約３Ｈ、約４Ｈ、約５Ｈ、又は約６Ｈから約７Ｈ、約８Ｈ、又は約９Ｈの硬度を有し得る。例えば、第１のハードコート層１２０は、鉛筆硬度スケールに基づいて、約２Ｈから約９Ｈ、約３Ｈから約９Ｈ、約４Ｈから約９Ｈ、約５Ｈから約９Ｈ、約６Ｈから約９Ｈ、約７Ｈから約９Ｈ、約２Ｈから約８Ｈ、約３Ｈから約８Ｈ、約４Ｈから約８Ｈ、約５Ｈから約８Ｈ、約６Ｈから約８Ｈ、約７Ｈから約８Ｈ、約２Ｈから約７Ｈ、約３Ｈから約７Ｈ、約４Ｈから約７Ｈ、約５Ｈから約７Ｈ、約６Ｈから約７Ｈ、約６Ｈから約９Ｈ、約７Ｈから約９Ｈ、約８Ｈから約９Ｈ、約６Ｈから約８Ｈ、又は約７Ｈから約８Ｈの硬度を有し得る。第２のハードコート層１７０は、鉛筆硬度スケールに基づいて、約２Ｈ、約３Ｈ、約４Ｈ、又は約５Ｈから約６Ｈ、約７Ｈ、約８Ｈ、又は約９Ｈの硬度を有し得る。例えば、第２のハードコート層１７０は、鉛筆硬度スケールに基づいて、約２Ｈから約９Ｈ、約３Ｈから約９Ｈ、約４Ｈから約９Ｈ、約５Ｈから約９Ｈ、約６Ｈから約９Ｈ、約７Ｈから約９Ｈ、約２Ｈから約７Ｈ、約３Ｈから約７Ｈ、又は約５Ｈから約７Ｈの硬度を有し得る。
【００２０】
［００２９］第１のハードコート層１２０及び第２のハードコート層１７０のそれぞれは独立して、約０．１μｍ、約０．２μｍ、約０．５μｍ、約０．６μｍ、約０．８μｍ、約１μｍ、約１．２μｍ、約１．５μｍ、約１．８μｍ、約２μｍ、約３μｍ、約５μｍ、約１０μｍ、約１５μｍ、又は約２０μｍから約２５μｍ、約３０μｍ、約３５μｍ、約４０μｍ、約５０μｍ、又はそれ以上の厚さを有し得る。例えば、第１のハードコート層１２０及び第２のハードコート層１７０のそれぞれは独立して、約０．１μｍから約５０μｍ、約０．１μｍから約４０μｍ、約０．１μｍから約３５μｍ、約０．１μｍから約３０μｍ、約０．１μｍから約２５μｍ、約０．１μｍから約２０μｍ、約０．１μｍから約１５μｍ、約０．１μｍから約１０μｍ、約０．１μｍから約５μｍ、約０．１μｍから約２μｍ、約０．１μｍから約１μｍ、約０．５μｍから約５０μｍ、約０．５μｍから約４０μｍ、約０．５μｍから約３５μｍ、約０．５μｍから約３０μｍ、約０．５μｍから約２５μｍ、約０．５μｍから約２０μｍ、約０．５μｍから約１０μｍ、約０．５μｍから約５μｍ、約０．５μｍから約２μｍ、約１μｍから約５０μｍ、約１μｍから約４０μｍ、約１μｍから約３５μｍ、約１μｍから約３０μｍ、約１μｍから約２５μｍ、約１μｍから約２０μｍ、約１μｍから約１０μｍ、約１μｍから約５μｍ、約１μｍから約３μｍ、約５μｍから約５０μｍ、約５μｍから約４０μｍ、約５μｍから約３５μｍ、約５μｍから約３０μｍ、約５μｍから約２５μｍ、約５μｍから約２０μｍ、約１０μｍから約５０μｍ、約１０μｍから約４０μｍ、約１０μｍから約３５μｍ、約１０μｍから約３０μｍ、約１０μｍから約２５μｍ、又は約１０μｍから約２０μｍの厚さを有し得る。
【００２１】
［００３０］第１及び第２のハードコート層１２０及び１７０は独立して、メイヤーロッドを使用する等の様々なプロセスを使用することによって下表面に適用され得、次いで、約７５℃から約８５℃の温度で約１００秒から約１４０秒間非活性対流で加熱され得る。また、第１及び第２のハードコート層１２０及び１７０は独立して、約３００ｍＪ／ｃｍ２から約７００ｍＪ／ｃｍ２の出力で約１００秒から約１４０秒間ＵＶランプを用いて照射され得る。第１及び第２のハードコート層１２０及び１７０は、独立してスロットダイコーティング又は鋳造され得る。
【００２２】
［００３１］幾つかの例では、第１及び第２のハードコート層１２０及び１７０は、化学気相堆積（ＣＶＤ）、プラズマ化学気相堆積（ＰＥ−  ＣＶＤ）、原子層堆積（ＡＬＤ）、プラズマ原子層堆積（ＰＥ−ＡＬＤ）、物理的気相堆積（ＰＶＤ）又はスパッタリング、又はその他の真空又は気相堆積プロセス等の１又は複数の技法又はプロセスを使用することによって、下表面に独立して堆積され得る又は他の方法で形成され得る。堆積プロセスは、イオンビーム又は電子ビームによる露光を含み得る熱プロセス又はプラズマプロセスであり得る。第１及び第２のハードコート層１２０及び１７０は、約５０℃から約３５０℃、約７０℃から約３００℃、又は約１００℃から約２５０℃のプロセス温度で独立して堆積され得る又は他の方法で形成され得る。
【００２３】
［００３２］第１及び第２のハードコート層１２０及び１７０は独立して、約１ｍｍから約５ｍｍの曲げ内半径、約５ｍｍから約２０ｍｍの曲げ外半径、約８５％から約９８％、約８８％から約９５％、又は約９０％から約９２％の透過率、及び約−２０℃から約８０℃の熱抵抗を有し得る。１又は複数の例では、第１及び第２のハードコート層１２０及び１７０は、紫外線放射、電子ビームプロセス、及び／又はプラズマによる真空堆積プロセスを使用して独立して硬化され得る。第１の衝撃吸収層１４０及び第２の衝撃吸収層１９０は独立して、約９０％から約９９．９９％のＡＳＴＭ  Ｄ１００３、１％未満のＡＳＴＭ  Ｄ１０００３のヘイズ、０．５％未満のＡＳＴＭ  Ｄ１０４４のサンドペーパー摩耗、及び１８Ｎボッシュを超えるエリクセンペンスクラッチを有し得る。
【００２４】
［００３３］第１の衝撃吸収層１４０及び第２の衝撃吸収層１９０のそれぞれは独立して、エーテルウレタン、エステルウレタン、脂肪族ウレタン、脂肪族ポリウレタン、脂肪族ポリエステルウレタン、ポリスルフィド熱硬化性樹脂、それらのコポリマー、それらのエラストマー、及びそれらの任意の組み合わせから選択される１又は複数の材料を含み得る。第１の衝撃吸収層１４０及び第２の衝撃吸収層１９０のそれぞれは独立して、約３μｍ、約５μｍ、約１０μｍ、約２０μｍ、約３０μｍ、又は４０μｍから約５０μｍ、約６０μｍ、約８０μｍ、約１００μｍ、約１１０μｍ、約１２０μｍ、約１３０μｍ、約１５０μｍ、又はそれ以上の厚さを有し得る。例えば、第１の衝撃吸収層１４０及び第２の衝撃吸収層１９０のそれぞれは独立して、約５μｍから約１５０μｍ、約５μｍから約１３０μｍ、約５μｍから約１２０μｍ、約５μｍから約１００μｍ、約５μｍから約８０μｍ、約１０μｍから約１５０μｍ、約１０μｍから約１３０μｍ、約１０μｍから約１２０μｍ、約１０μｍから約１００μｍ、又は約１０μｍから約８０μｍの厚さを有し得る。
【００２５】
［００３４］１又は複数の例では、第１の衝撃吸収層１４０及び第２の衝撃吸収層１９０は独立して、１００μｍ未満、例えば約７５μｍ以下の厚さのエラストマー層を含み得る。幾つかの例では、第１の衝撃吸収層１４０及び第２の衝撃吸収層１９０は独立して、スロットダイコーティング又は鋳造され得る。
【００２６】
［００３５］第１の基板１３０及び第２の基板１８０のそれぞれは独立して、ポリエテリンテレフタレート、トリアセチルセルロース、ポリカーボネート、ポリアミド、ポリイミド（例えば、無色のポリイミド及び／又は透明なポリイミド）、ポリスルフィド熱硬化性樹脂、それらのコポリマー、それらのエラストマー、又はそれらの任意の組み合わせから選択される１又は複数の材料を含み得る。１又は複数の例では、第１の基板１３０及び第２の基板１８０のそれぞれは独立して、無色透明のポリイミドを含み得る。第１の基板１３０及び第２の基板１８０のそれぞれは独立して、約３μｍ、約５μｍ、約１０μｍ、約２０μｍ、約３０μｍ、約５０μｍ、又は約６０μｍから約８０μｍ、約１００μｍ、約１２５μｍ、約１５０μｍ、約１７５μｍ、約２００μｍ、又はそれ以上の厚さを有し得る。例えば、第１の基板１３０及び第２の基板１８０のそれぞれは独立して、約５μｍから約２００μｍ、約５μｍから約１７５μｍ、約５μｍから約１５０μｍ、約５μｍから約１２５μｍ、約５μｍから約１００μｍ、約１０μｍから約２００μｍ、約１０μｍから約１７５μｍ、約１０μｍから約１５０μｍ、約１０μｍから約１２５μｍ、約１０μｍから約１００μｍ、約２０μｍから約２００μｍ、約２０μｍから約１７５μｍ、約２０μｍから約１５０μｍ、約２０μｍから約１２５μｍ、又は約２０μｍから約１００μｍの厚さを有し得る。
【００２７】
［００３６］第１のフレキシブルカバーレンズ１１０及び第２のフレキシブルカバーレンズ１６０の各構成要素は、１又は複数の接着剤によって独立して接着、結合、又は他の方法で互いに保持され得る。例えば、第１のハードコート層１２０と第１の基板１３０は、それらの間に配置される接着剤層１２５によって互いに結合され、第１の基板１３０と第１の衝撃吸収層１４０は、それらの間に配置される接着剤層１３５によって互いに結合される。また、第２のハードコート層１７０と第２の基板１８０は、それらの間に配置される接着剤層１７５によって互いに結合され、第２の基板１８０と第２の衝撃吸収層１９０は、それらの間に配置される接着剤層１８５によって互いに結合される。
【００２８】
［００３７］接着剤層１２５、１３５、１７５、１８５のそれぞれは独立して、１又は複数の光学的に透明な接着剤（ＯＣＡ）であり得る、又はそれらを含み得る。１又は複数の例では、接着剤層１２５、１３５、１７５、１８５のそれぞれは、乾燥して２つの隣接する表面を互いに結合させる液体ベースの接着剤として適用される。幾つかの例では、接着剤層１２５、１３５、１７５、１８５のそれぞれは、２つの隣接する表面を互いに結合させるＯＣＡ両面テープである。
【００２９】
［００３８］他の実施形態では、第１のフレキシブルカバーレンズ１１０及び第２のフレキシブルカバーレンズ１６０の各構成要素は、接着剤を使用せずに、独立して接着、結合、又は他の方法で互いに保持され得る。したがって、接着剤層１２５、１３５、１７５、１８５のいずれか又はすべてが除外され、隣接する構成要素又は層は固有の結合力で互いに保持され得る。例えば、第１のハードコート層１２０は、第１の基板１３０上に直接堆積される、又は他の方法で形成され、接着剤層１２５はそれらの間の界面にはない。また、第１の衝撃吸収層１４０は、第１の基板１３０上に直接堆積される、又は他の方法で形成され、接着剤層１３５はそれらの間の界面にはない。同様に、第２のハードコート層１７０は、第２の基板１８０上に直接堆積される、又は他の方法で形成され、接着剤層１７５はそれらの間の界面にはない。また、第２の衝撃吸収層１９０は、第２の基板１８０上に直接堆積される、又は他の方法で形成され得、接着剤層１８５はそれらの間の界面にはない。
【００３０】
［００３９］犠牲接着層１５０は、１又は複数のＯＣＡを含む。犠牲接着層１５０は、１又は複数のアクリレート、シリコーン、熱可塑性接着剤、エラストマー接着剤、又はそれらの任意の組み合わせ等の１又は複数のポリマー又はオリゴマー材料であり得る、又はそれらを含み得る。犠牲接着層１５０は低い剪断弾性率を提供し、犠牲接着層１５０の下の層に対する犠牲接着層１５０の上の層の剪断又は滑りを可能にする。１又は複数の例では、犠牲接着層１５０は、様々な方法で分配され、ＵＶ露光によって硬化され得る、又は熱、湿気、及び／又は圧力に対する感度が高く、それらを調整又は制御することによって硬化され得る液体光学的に透明な接着剤（ＬＯＣＡ）から形成され得る。幾つかの例では、犠牲接着層１５０は、所定の温度で分解可能である。例えば、犠牲接着層１５０は、約４０℃、約５０℃、又は約６０℃から約８０℃、約１００℃、又は約１２０℃の温度で分解可能であり得る。他の例では、犠牲接着層１５０は、所定の波長及び／又は所定の投与量のＵＶ光に曝露されると分解可能である。例えば、犠牲接着層１５０は、約３５０ｎｍから約３７５ｎｍ、例えば約３６５ｎｍの波長を有するＵＶ光に暴露されると分解可能である。犠牲接着層１５０は、接着剤を約０．５秒、約１秒、又は約５秒から約３０秒、約６０秒、又は約９０秒間ＵＶ光に暴露することによって分解され得る。
【００３１】
［００４０］犠牲接着層１５０は、接着剤層１２５、１３５、１７５、１８５の接着剤とは異なる接着剤を含む。犠牲接着層１５０の接着剤は、接着剤層１２５、１３５、１７５、１８５の接着剤とは異なる組成を有し得る。犠牲接着層１５０内の接着剤は、所定の温度又は波長のＵＶ光に暴露されると、分解又は破壊される。したがって、第１のフレキシブルカバーレンズ１１０の第１の衝撃吸収層１４０と第２のフレキシブルカバーレンズ１６０の第２のハードコート層１７０との間の接着又は結合が破壊され、第１のフレキシブルカバーレンズ１１０及び第２のフレキシブルカバーレンズ１６０は互いに分離し得る。同じ期間中、接着剤層１２５、１３５、１７５、１８５の接着剤は、同じ所定の温度又は波長のＵＶ光に暴露されたときに分解又は破壊されず、第１のフレキシブルカバーレンズ１１０及び第２のフレキシブルカバーレンズ１６０内の構成要素間の接着又は結合が保たれる。
【００３２】
［００４１］１又は複数の例では、第１のフレキシブルカバーレンズ１１０及び第２のフレキシブルカバーレンズ１６０は独立して、繰り返しサイクルにわたる可撓性を有し、最低１ｍｍの内側曲率半径又は最低４ｍｍの外側曲率半径に曲がり得る。幾つかの実施形態では、カバーレンズアセンブリ１００を含むディスプレイデバイスの曲げ動作中、第１のフレキシブルカバーレンズ１１０は、犠牲接着層１５０によって提供される滑り、剪断、及び／又はスライド機構によって、第２のフレキシブルカバーレンズ１６０に対して独立して移動し得る。第１のフレキシブルカバーレンズ１１０と第２のカバーレンズ１６０を分離する上記滑り、剪断、及び／又はスライド面は、犠牲接着層１５０の材料で設計され得る。第１のフレキシブルカバーレンズ１１０及び第２のフレキシブルカバーレンズ１６０は独立して、衝撃吸収層の有無にかかわらず、標準的なボール落下試験によって測定される耐衝撃性を有し、最大１３０ｇの鋼球の１００ｃｍの高さからの落下、及び幾つかの例では、１２０ｃｍから約１５０ｃｍ等の１００ｃｍを超える高さからの落下を引き留める能力を呈し得る。幾つかの例では、第１のフレキシブルカバーレンズ１１０及び第２のフレキシブルカバーレンズ１６０は独立して、最大１ｋｇの負荷がかけられた標準的なスチールウール試験によって測定される耐擦傷性を有し、多数のサイクル、例えば１００サイクルから約４，０００サイクルに耐えることができる。第１のフレキシブルカバーレンズ１１０及び第２のフレキシブルカバーレンズ１６０は独立して、約８５％から約９５％の総透過率、１％未満のヘイズ、Ｂ＊＜１の黄色指数、及び高い破壊靭性を有し得る。
【００３３】
［００４２］図示していない幾つかの実施形態では、第１のハードコート層１２０が第１の基板１３０と第１の衝撃吸収層１４０との間に配置され接着される、あるいは、第１の衝撃吸収層１４０が第１のハードコート層１２０と第１の基板１３０との間に配置され接着される。同様に、図示していない他の実施形態では、第２のハードコート層１７０が第２の基板１８０と第２の衝撃吸収層１９０との間に配置され接着される、あるいは、第２の衝撃吸収層１９０が第２のハードコート層１７０と第２の基板１８０との間に配置され接着される。
【００３４】
［００４３］図示していない幾つかの態様では、第１のフレキシブルカバーレンズ１１０は、第１のハードコート層１２０、第１の基板１３０、及び第１の衝撃吸収層１４０のうちのいずれか１つ又は２つを含み、また、第１のハードコート層１２０、第１の基板１３０、及び第１の衝撃吸収層１４０のいずれか１つ又は２つを省略する。例えば、第１のフレキシブルカバーレンズ１１０は、第１のハードコート層１２０及び第１の基板１３０を含むが、第１の衝撃吸収層１４０を除外する。図示していない他の態様では、第２のフレキシブルカバーレンズ１６０は、第２のハードコート層１７０、第２の基板１８０、及び第２の衝撃吸収層１９０のうちのいずれか１つ又は２つを含み、また、第２のハードコート層１７０、第２の基板１８０、及び第２の衝撃吸収層１９０のいずれか１つ又は２つを省略する。例えば、第２のフレキシブルカバーレンズ１６０は、第２の基板１８０及び第２の衝撃吸収層１９０を含むが、第２のハードコート層１７０を除外する。別の例では、第２のフレキシブルカバーレンズ１６０は、第２のハードコート層１７０及び第２の基板１８０を含むが、第２の衝撃吸収層１９０を除外する。
【００３５】
［００４４］図２に、本書に記載の１又は複数の実施形態に係るディスプレイデバイス２００の概略断面図を示す。ディスプレイデバイス２００は、第１のフレキシブルカバーレンズ１１０、第２のフレキシブルカバーレンズ１６０、それらの間に配置される犠牲接着層１５０、ディスプレイ構造２１０、及び第２のフレキシブルカバーレンズ１６０とディスプレイ構造２１０との間に配置される接着層２０５とを含む。犠牲接着層１５０は、接着層２０５とは異なる組成を有する。第１のフレキシブルカバーレンズ１１０は、第１のハードコート層１２０、第１の衝撃吸収層１４０、及び第１のハードコート層１２０と第１の衝撃吸収層１４０との間に配置される第１の基板１３０を含む。第２のフレキシブルカバーレンズ１６０は、第２のハードコート層１７０、第２の衝撃吸収層１９０、及び第２のハードコート層１７０と第２の衝撃吸収層１９０との間に配置される第２の基板１８０とを含む。
【００３６】
［００４５］ディスプレイ構造２１０は、１又は複数の発光ダイオード（ＬＥＤ）ディスプレイ、１又は複数の有機発光ダイオード（ＯＬＥＤ）ディスプレイ、１又は複数の液晶ディスプレイ（ＬＣＤ）、及び他の種類のディスプレイであり得る、又はそれらを含み得る。１又は複数の実施形態では、第２のフレキシブルカバーレンズ１６０は、図２に示すように、ディスプレイ構造２１０に追加結合される。しかしながら、図示していない他の実施形態では、第２のフレキシブルカバーレンズ１６０は、ディスプレイ構造２１０の一部として組み込まれ得る。接着剤層２０５は、接着剤層１２５、１３５、１７５、１８５で使用される接着剤のいずれかであり得る、又はそれを含み得る。したがって、接着剤層２０５の接着剤は、犠牲接着層１５０の接着剤と同じ所定の温度又は波長のＵＶ光に暴露されたときに分解又は破壊されない。１又は複数の構成では、ディスプレイ構造２１０は、接着剤層２０５によって第２のフレキシブルカバーレンズ１６０に接着される。例えば、接着剤層２０５は、第２のフレキシブルカバーレンズ１６０の第２の衝撃吸収層１９０とディスプレイ構造２１０の偏光子層２２０との間に配置される。
【００３７】
［００４６］図３に、本書に記載の１又は複数の実施形態に係るディスプレイデバイス３００の概略断面図を示す。ディスプレイデバイス３００は、間に配置される犠牲接着層１５０によってディスプレイ構造２１０に接着された第１のフレキシブルカバーレンズ１１０の上部に配置される上部保護膜１０５を含む。１又は複数の構成では、犠牲接着層１５０は、第１の衝撃吸収層１４０等の第１のフレキシブルカバーレンズ１１０の下面又は層とディスプレイ構造２１０との間に配置される。図示していない他の構成では、第１のハードコート層１２０又は第１の基板１３０が第１のフレキシブルカバーレンズ１１０の下面又は層である場合、犠牲接着層１５０は、第１のハードコート層１２０又は第１の基板１３０及びディスプレイ構造２１０のいずれかとの間に連結される。
【００３８】
［００４７］図４に、本書に記載及び説明する１又は複数の実施形態に係るディスプレイデバイス４００の概略断面図を示す。ディスプレイデバイス４００は、第１のフレキシブルカバーレンズ４１０、第２のフレキシブルカバーレンズ１６０、及び第１のフレキシブルカバーレンズ４１０と第２のフレキシブルカバーレンズ１６０との間に配置される犠牲接着層１５０とを含む。上部保護膜１０５は、第１のフレキシブルカバーレンズ４１０の上部に配置されるが、上部保護膜１０５は任意であり、ディスプレイデバイス４００から省略され得ることが理解されるべきである。
【００３９】
［００４８］第１のフレキシブルカバーレンズ４１０は、図４に示すように、第１のハードコート層１２０及び第１の基板１３０を含む。第２のフレキシブルカバーレンズ１６０は、第２のハードコート層１７０、第２の基板１８０、及び第２の衝撃吸収層１９０を含む。１又は複数の実施形態では、第２の基板１８０は、第２のハードコート層１７０と第２の衝撃吸収層１９０との間に配置され、それらに接着される。１又は複数の例では、犠牲接着層１５０は、第１のフレキシブルカバーレンズ４１０の第１の基板１３０と第２のフレキシブルカバーレンズ１６０の第２のハードコート層１７０との間に配置される。ディスプレイデバイス４００はまた、第２のフレキシブルカバーレンズ１６０の第２の衝撃吸収層１９０とディスプレイ構造２１０との間に配置される接着剤層２０５も含む。
【００４０】
［００４９］幾つかの実施形態では、第１のハードコート層１２０及び第１の基板１３０は、それらの間に配置される接着剤層１２５によって互いに結合され、第２のハードコート層１７０及び第２の基板１８０は、それらの間に配置される接着剤層１７５によって互いに結合される、及び／又は、第２の基板１８０と第２の衝撃吸収層１９０は、それらの間に配置される接着剤層１８５によって互いに結合される。あるいは、１又は複数の実施形態では、第１のフレキシブルカバーレンズ４１０及び第２のフレキシブルカバーレンズ１６０の各構成要素は、接着剤を使用せずに、独立して接着、結合、又は他の方法で互いに保持され得る。したがって、接着剤層１２５、１７５、及び１８５のいずれか又はすべてが除外され、隣接する構成要素又は層は固有の結合力で互いに保持され得る。
【００４１】
［００５０］図５に、本書に記載及び説明する１又は複数の実施形態に係るディスプレイデバイス５００の概略断面図を示す。ディスプレイデバイス５００は、第１のフレキシブルカバーレンズ１１０、第２のフレキシブルカバーレンズ５６０、及び第１のフレキシブルカバーレンズ１１０と第２のフレキシブルカバーレンズ５６０との間に配置される犠牲接着層１５０とを含む。上部保護膜１０５は第１のフレキシブルカバーレンズ１１０の上に配置されるが、上部保護膜１０５は任意であり、ディスプレイデバイス５００から省略され得ることが理解されるべきである。
【００４２】
［００５１］第１のフレキシブルカバーレンズ１１０は、第１のハードコート層１２０、第１の基板１３０、及び第１の衝撃吸収層１４０を含む。１又は複数の実施形態では、第１の基板１３０は、第１のハードコート層１２０と第１の衝撃吸収層１４０との間に配置され、それらに接着される。第２のフレキシブルカバーレンズ５６０は、第２のハードコート層１７０及び第２の基板１８０を含む。１又は複数の例では、犠牲接着層１５０は、第１のフレキシブルカバーレンズ１１０の第１の衝撃吸収層１４０と、第２のフレキシブルカバーレンズ５６０の第２のハードコート層１７０との間に配置される。ディスプレイデバイス５００はまた、ディスプレイ構造２１０と第２のフレキシブルカバーレンズ５６０の第２の基板１８０との間に配置される接着剤層２０５も含む。
【００４３】
［００５２］幾つかの実施形態では、第１のハードコート層１２０及び第１の基板１３０は、それらの間に配置される接着剤層１２５によって互いに結合され、第１の基板１３０及び第１の衝撃吸収層１４０は、それらの間に配置される接着剤層１３５によって互いに結合される、及び／又は、第２のハードコート層１７０と第２の基板１８０は、それらの間に配置される接着剤層１７５によって互いに結合される。あるいは、１又は複数の実施形態では、第１のフレキシブルカバーレンズ１１０及び第２のフレキシブルカバーレンズ５６０の各構成要素は、接着剤を使用せずに、独立して接着、結合、又は他の方法で互いに保持され得る。したがって、接着剤層１２５、１３５、及び１７５のいずれか又はすべてが除外され、隣接する構成要素又は層は固有の結合力で互いに保持され得る。
【００４４】
［００５３］図６は、本書に記載及び説明する１又は複数の実施形態に係るディスプレイデバイス６００の概略断面図を示す。ディスプレイデバイス６００は、第１のフレキシブルカバーレンズ４１０、第２のフレキシブルカバーレンズ５６０、及び第１のフレキシブルカバーレンズ４１０と第２のフレキシブルカバーレンズ５６０との間に配置される犠牲接着層１５０とを含む。上部保護膜１０５は、第１のフレキシブルカバーレンズ４１０の上に配置されるが、上部保護膜１０５は任意であり、ディスプレイデバイス６００から省略され得ることが理解されるべきである。
【００４５】
［００５４］第１のフレキシブルカバーレンズ４１０は、第１のハードコート層１２０及び第１の基板１３０を含む。第２のフレキシブルカバーレンズ５６０は、第２のハードコート層１７０及び第２の基板１８０を含む。１又は複数の例では、犠牲接着層１５０は、第１のフレキシブルカバーレンズ４１０の第１の基板１３０と第２のフレキシブルカバーレンズ５６０の第２のハードコート層１７０との間に配置される。ディスプレイデバイス６００はまた、ディスプレイ構造２１０と第２のフレキシブルカバーレンズ５６０の第２の基板１８０との間に配置される接着剤層２０５を含む。
【００４６】
［００５５］幾つかの実施形態では、第１のハードコート層１２０と第１の基板１３０は、それらの間に配置される接着剤層１２５によって互いに結合される、及び／又は第２のハードコート層１７０と第２の基板１８０は、それらの間に配置される接着剤層１７５によって互いに結合される。あるいは、１又は複数の実施形態では、第１のフレキシブルカバーレンズ４１０及び第２のフレキシブルカバーレンズ５６０の各構成要素は、接着剤を使用せずに、独立して接着、結合、又は他の方法で互いに保持され得る。したがって、接着剤層１２５及び１７５のいずれか又はすべてが除外され、隣接する構成要素又は層は固有の結合力で互いに保持され得る。
【００４７】
［００５６］図７から図９に、本書の１又は複数の実施形態に記載及び説明するように、オプションの中間層２１５を含み得るディスプレイデバイス７００、８００、９００の概略断面図を示す。幾つかの実施形態では、中間層２１５は、ディスプレイデバイス７００、８００、９００に存在し、他の実施形態では、中間層２１５は、以下に更に説明するように、ディスプレイデバイス７００、８００、９００から除外される。
【００４８】
［００５７］図７に、本書に記載の１又は複数の実施形態に係るディスプレイデバイス７００の概略断面図を示す。ディスプレイデバイス７００は、第１のフレキシブルカバーレンズ４１０、第２のハードコート層１７０、及び第１のフレキシブルカバーレンズ４１０と第２のハードコート層１７０との間に配置される犠牲接着層１５０とを含む。第１のフレキシブルカバーレンズ４１０は、第１のハードコート層１２０及び第１の基板１３０を含む。犠牲接着層１５０は、第１のフレキシブルカバーレンズ４１０の第１の基板１３０と第２のハードコート層１７０との間に配置される。
【００４９】
［００５８］図８に、本書に記載の１又は複数の実施形態に係るディスプレイデバイス８００の概略断面図を示す。ディスプレイデバイス８００は、第１のフレキシブルカバーレンズ１１０、第２のハードコート層１７０、及び第１のフレキシブルカバーレンズ１１０と第２のハードコート層１７０との間に配置される犠牲接着層１５０とを含む。第１のフレキシブルカバーレンズ１１０は、第１のハードコート層１２０と第１の衝撃吸収層１４０との間に配置される第１の基板１３０を含む。犠牲接着層１５０は、第１のフレキシブルカバーレンズ１１０の第１の衝撃吸収層１４０と第２のハードコート層１７０との間に配置される。
【００５０】
［００５９］図７及び図８を参照すると、ディスプレイデバイス７００、８００のそれぞれは、本書の１又は複数の実施形態に記載及び説明するように、接着剤層１２５、１３５をオプションとして含み得る。例えば、第１のハードコート層１２０及び第１の基板１３０は、ディスプレイデバイス７００、８００（図７及び図８）内でそれらの間に配置される接着剤層１２５によって互いに結合される。また、第１の基板１３０と第１の衝撃吸収層１４０は、ディスプレイデバイス８００（図８）内に配置される接着剤層１３５によって互いに結合される。あるいは、１又は複数の実施形態では、第１のフレキシブルカバーレンズ１１０、４１０の各構成要素は、接着剤を使用せずに、独立して接着、結合、又は他の方法で互いに保持され得る。したがって、接着剤層１２５、１３５のいずれか又はすべてが除外され、隣接する構成要素又は層は固有の結合力で互いに保持され得る。
【００５１】
［００６０］図９に、本書に記載の１又は複数の実施形態に係る第２のハードコート層１７０を含むディスプレイデバイス９００の概略断面図を示す。図７から図９を参照すると、ディスプレイデバイス７００、８００、９００のそれぞれは、本書の１又は複数の実施形態に記載及び説明するように、オプションとして上部保護膜１０５を含み得る。図７及び図８に示すように、上部保護膜１０５は、ディスプレイデバイス７００、８００の第１のハードコート層１２０上に配置され得る、又は上部保護膜１０５は、図９に示すように、ディスプレイデバイス９００の第２のハードコート層１７０上に配置され得る。
【００５２】
［００６１］また、図７から図９を参照すると、ディスプレイデバイス７００、８００、９００のそれぞれは、本書の１又は複数の実施形態に記載及び説明するように、１又は複数の中間層２１５をオプションとして含み得る。中間層２１５は、第２のハードコート層１７０とディスプレイ構造２１０との間に配置され得る。１又は複数の実施形態では、中間層２１５は、ディスプレイ構造２１０上に形成、堆積、載置、又は他の方法で配置され得、第２のハードコート層１７０は、中間層２１５上に形成、堆積、載置、接着、又は他の方法で配置される。幾つかの実施形態では、中間層２１５は、上記に記載及び説明した接着剤層２０５等の１又は複数の接着剤層であり得る、又はそれを含み得る。他の実施形態では、中間層２１５は、平坦化層、高表面エネルギー層（例えば、親水性）、カプセル化層、水分及び／又は水蒸気バリア層等の１又は複数の層である、又はそれらの層の一部、又はそれらの組み合わせを含み得る。図示していない他の実施形態では、中間層２１５はディスプレイデバイス７００、８００、９００に含まれず、第２のハードコート層１７０は、ディスプレイ構造２１０上に形成、堆積、載置、又は他の方法で配置される。
【００５３】
［００６２］図１０に、本書に記載の１又は複数の実施形態に係る、ディスプレイデバイス２００、３００、４００、５００、６００、７００、８００、９００（図２〜図９）に含まれるディスプレイ構造２１０として使用され得るディスプレイ構造１０００の概略断面図を示す。ディスプレイ構造２１０、１０００は、可撓性又は剛性のディスプレイ又は他のデバイスであり得、モニタ、ディスプレイ、電話（例えば、移動電話又は携帯電話）、コンピュータ又はラップトップ、タブレット、時計、又は他の電子デバイス内に含まれ得る。１又は複数の例では、ディスプレイ構造１０００は、コントラスト強調層又は偏光子層２２０、タッチパネル２３０、ディスプレイ層２４０、基板２５０、及びバッキング膜２６０を含む。偏光子層２２０は、偏光子膜を含む多機能膜層である、又はそれを含む。偏光子層２２０は、ディスプレイ構造１０００内の電極線又は金属構造を構成する反射金属による不要な反射を低減するために使用される。偏光子層２２０は、４分の１波長リターダ及び０．２ｍｍ未満の厚さのフレキシブルレンズ膜から形成された直線偏光子を含み得る。
【００５４】
［００６３］タッチパネル２３０は、タッチセンサＩＣ基板及びタッチセンサ（図示せず）を含み得る。１又は複数の例では、タッチセンサＩＣ基板は、可撓性で金属ベースのプリント基板である。ディスプレイ層２４０は、１又は複数の発光ダイオード（ＬＥＤ）ディスプレイ、１又は複数の液晶ディスプレイ（ＬＣＤ）、又は他の適切なディスプレイデバイスであり得る、又はそれらを含み得る。幾つかの例では、ディスプレイ層２４０は、有機発光ダイオード（ＯＬＥＤ）ディスプレイである。１又は複数の例では、ディスプレイ層２４０は、薄膜カプセル化（ＴＦＥ）、有機発光層、ドライバＩＣ基板、及び薄膜トランジスタ（ＴＦＴ）を含み得る。
【００５５】
［００６４］基板２５０は通常、可撓性のプラスチック又はポリマー基板である。基板２５０は、透明及び／又は無色であり得、幾つかの例では、導電性であり得る。基板２５０は、１又は複数のポリイミド材料、ポリエステルテレフタレート、ポリエーテルエーテルケトン、透明導電性ポリエステル、ポリカーボネート、ポリアリールエーテルケトン、又はそれらの任意の組み合わせであり得る、又はそれらを含み得る。バッキング膜２６０は、１又は複数のヒートシンク層及び／又は１又は複数の保護バリア層であり得る、又はそれらを含み得る。
【００５６】
［００６５］ディスプレイ構造２１０の各構成要素は、１又は複数の接着剤によって接着、結合、又は他の方法で互いに保持され得る。例えば、偏光子層２２０とタッチパネル２３０は、それらの間に配置される接着剤層２２５によって互いに結合される。タッチパネル２３０とディスプレイ層２４０は、それらの間に配置される接着剤層２３５によって互いに結合される。ディスプレイ層２４０と基板２５０は、それらの間に配置される接着剤層２４５によって互いに結合される。基板２５０とバッキング膜２６０は、それらの間に配置される接着剤層２５５によって互いに結合される。接着剤層２２５、２３５、２４５、２５５のそれぞれは独立して、１又は複数のＯＣＡである、又はそれを含み得る。１又は複数の例では、接着剤層２２５、２３５、２４５、２５５のそれぞれは、乾燥して２つの隣接する表面を互いに結合させる液体ベースの接着剤として適用される。幾つかの例では、接着剤層２２５、２３５、２４５、２５５のそれぞれは、２つの隣接する表面を互いに結合させるＯＣＡ両面テープである。他の実施形態では、接着剤層２２５、２３５、２４５、２５５のそれぞれは独立して、他の結合方法によって互いに保持されているそれらそれぞれの隣接する層の間には配置されていない。例えば、ディスプレイ構造２１０内の任意の層又は構成要素は、隣接する層又は構成要素上に堆積又は他の方法で形成され得る。
【００５７】
［００６６］フレキシブルカバーレンズアセンブリ１００、ディスプレイデバイス２００、３００、４００、５００、６００、７００、８００、９００、ディスプレイ構造２１０、及び／又はそれらの任意の層又は膜は、化学気相堆積（ＣＶＤ）、プラズマ化学気相堆積（ＰＥ−ＣＶＤ）、原子層堆積（ＡＬＤ）、プラズマ原子層堆積（ＰＥ−ＡＬＤ）、物理的気相堆積（ＰＶＤ）又はスパッタリング、フォトリソグラフィ、エッチング、その他の膜コーティング及び硬化プロセス、及び／又は他のそのような適切な製造プロセスを使用して製造され得る。適切な製造装置は、カリフォルニア州サンタクララのアプライドマテリアルズ社から購入可能である。
【００５８】
［００６７］本書に記載及び説明するフレキシブルカバーレンズ及びフレキシブルカバーレンズアセンブリは、任意のディスプレイデバイスで使用され得る。フレキシブルカバーレンズ及びフレキシブルカバーレンズアセンブリは、強力な強度、可撓性、弾性、光透過率、耐摩耗性、及び／又は熱安定性を有する。第１のフレキシブルカバーレンズと第２のフレキシブルカバーレンズとの間、又は第１のフレキシブルカバーレンズとディスプレイ構造又はディスプレイデバイスとの間に分解可能で光学的に透明な接着剤を含む犠牲接着層を用いることにより、損傷が生じた場合に、第１のフレキシブルカバーレンズを、下位構造やデバイスに損傷を与えることなく、取り外す（そして新しいカバーレンズと交換する）ことができる。
【００５９】
［００６８］１又は複数の実施形態では、可撓性要件は特定のフォルダブルディスプレイの設計及び製品構成に依存するが、一般に、フォルダブルカバーレンズは、本書に記載及び説明するように、繰り返しの曲げサイクルを維持するのに十分な可撓性を有し、各サイクルにおいて可撓性カバーレンズは５ｍｍ以下の曲率半径に曲げられる。臨界ひずみに関し、カバーレンズの可撓性は、カバーレンズが耐え得る臨界ひずみ、１％を超える臨界ひずみ（引張又は圧縮曲げ応力）を用いて示される。
【００６０】
［００６９］本開示の実施形態は更に、以下の段落１から２９のいずれかの１又は複数に関する。
【００６１】
［００７０］１．約４Ｈから約９Ｈの範囲の硬度を有する第１のハードコート層及び第１の基板を含む第１のフレキシブルカバーレンズと、約２Ｈから約９Ｈの範囲の硬度を有する第２のハードコート層を含む第２のフレキシブルカバーレンズと、第１のフレキシブルカバーレンズと第２のフレキシブルカバーレンズとの間に配置される犠牲接着層であって、第１の基板が第１のハードコート層と犠牲接着層との間に配置される、犠牲接着層とを含むカバーレンズアセンブリ。
【００６２】
［００７１］２．約４Ｈから約９Ｈの範囲の硬度を有する第１のハードコート層、第１の衝撃吸収層、及び第１のハードコート層と第１の衝撃吸収層との間に配置される第１の基板とを含む第１のフレキシブルカバーレンズと、約２Ｈから約９Ｈの範囲の硬度を有する第２のハードコート層、第２の衝撃吸収層、及び第２のハードコート層と第２の衝撃吸収層との間に配置される第２の基板とを含む第２のフレキシブルカバーレンズと、第１の衝撃吸収層と第２のハードコート層との間に配置される犠牲接着層とを含むカバーレンズアセンブリ。
【００６３】
［００７２］３．約４Ｈから約９Ｈの範囲の硬度及び約０．１μｍから約４０μｍの範囲の厚さを有するハードコート層、約５μｍから約２００μｍの範囲の厚さを有する基板、及びカバーレンズの下面に配置される犠牲接着層を含むカバーレンズを含むカバーレンズアセンブリ。
【００６４】
［００７３］４．カバーレンズが更に約５μｍから約１２０μｍの範囲の厚さを有する衝撃吸収層を含み、基板はハードコート層と衝撃吸収層との間に配置される、段落３に記載のカバーレンズアセンブリ。
【００６５】
［００７４］５．約４Ｈから約９Ｈの範囲の硬度を有する第１のハードコート層及び第１の基板を含む第１のフレキシブルカバーレンズと、約２Ｈから約９Ｈの範囲の硬度を有する第２のハードコート層を含む第２のフレキシブルカバーレンズと、第１のフレキシブルカバーレンズと第２のフレキシブルカバーレンズとの間に配置される犠牲接着層であって、第１の基板が第１のハードコート層と犠牲接着層との間に配置される犠牲接着層と、ディスプレイ構造と、第２のフレキシブルカバーレンズとディスプレイ構造との間に配置される接着剤層であって、犠牲接着層は接着剤層とは異なる組成を有する接着剤層とを含むディスプレイデバイス。
【００６６】
［００７５］６．約４Ｈから約９Ｈの範囲の硬度を有する第１のハードコート層、第１の衝撃吸収層、及び第１のハードコート層と第１の衝撃吸収層との間に配置される第１の基板を含む第１のフレキシブルカバーレンズと、約２Ｈから約９Ｈの範囲の硬度を有する第２のハードコート層、第２の衝撃吸収層、及び第２のハードコート層と第２の衝撃吸収層との間に配置される第２の基板を含む第２のフレキシブルカバーレンズと、第１のフレキシブルカバーレンズと第２のフレキシブルカバーレンズとの間に配置される犠牲接着層と、ディスプレイ構造と、第２のフレキシブルカバーレンズとディスプレイ構造との間に配置される接着剤層であって、犠牲接着層は接着剤層とは異なる組成を有する接着剤層とを含むディスプレイデバイス。
【００６７】
［００７６］７．ディスプレイ構造がＯＬＥＤディスプレイ又はＬＣＤディスプレイを含む、段落５又は６に記載のディスプレイデバイス。
【００６８】
［００７７］８．第１のフレキシブルカバーレンズが更に第１の衝撃吸収層を含み、第１の基板が第１のハードコート層と第１の衝撃吸収層との間に配置される、段落１から７のいずれか一項に記載のカバーレンズアセンブリ又はディスプレイデバイス。
【００６９】
［００７８］９．第２のフレキシブルカバーレンズが更に第２の衝撃吸収層を含み、第２のハードコート層が犠牲接着層と第２の衝撃吸収層との間に配置される、段落１から８のいずれか一項に記載のカバーレンズアセンブリ又はディスプレイデバイス。
【００７０】
［００７９］１０．第２のフレキシブルカバーレンズが更に第２の衝撃吸収層を含み、第２のハードコート層が犠牲接着層と第２の衝撃吸収層との間に配置される、段落１から９のいずれか一項に記載のカバーレンズアセンブリ又はディスプレイデバイス。
【００７１】
［００８０］１１．第２のフレキシブルカバーレンズが更に第２の基板を含み、第２のハードコート層が犠牲接着層と第２の基板との間に配置される、段落１から１０のいずれか１項に記載のカバーレンズアセンブリ又はディスプレイデバイス。
【００７２】
［００８１］１２．第２のフレキシブルカバーレンズが更に、第２の衝撃吸収層と、第２のハードコート層と第２の衝撃吸収層との間に配置される第２の基板とを含む、段落１から１１のいずれか一項に記載のカバーレンズアセンブリ又はディスプレイデバイス。
【００７３】
［００８２］１３．犠牲接着層が、アクリレート、シリコーン、熱可塑性接着剤、エラストマー接着剤、及びそれらの組み合わせからなる群から選択されるポリマー又はオリゴマー材料を含む、段落１から１２のいずれか１項に記載のカバーレンズアセンブリ又はディスプレイデバイス。
【００７４】
［００８３］１４．犠牲接着層は約６０℃から約１２０℃の温度で分解可能である、段落１から１３のいずれか一項に記載のカバーレンズアセンブリ又はディスプレイデバイス。
【００７５】
［００８４］１５．犠牲接着層は約３５０ｎｍから約３７５ｎｍの波長を有する紫外線に約０．５秒から約３０秒間曝露されると分解可能である、段落１から１４のいずれか一項に記載のカバーレンズアセンブリ又はディスプレイデバイス。
【００７６】
［００８５］１６．第１のハードコート層及び第２のハードコート層のそれぞれが独立して、酸化ケイ素、窒化ケイ素、酸窒化ケイ素、放射線硬化性アクリレート、脂肪族ウレタンアクリレート、それらのコポリマー、それらのエラストマー、及びそれらの任意の組み合わせからなる群から選択される材料を含む、段落１から１５のいずれか一項に記載のカバーレンズアセンブリ又はディスプレイデバイス。
【００７７】
［００８６］１７．第１のハードコート層及び第２のハードコート層が独立して約６Ｈから約９Ｈの硬度を含む、段落１から１６のいずれか一項に記載のカバーレンズアセンブリ又はディスプレイデバイス。
【００７８】
［００８７］１８．第１のハードコート層及び第１の衝撃吸収層のそれぞれが、犠牲接着層とは異なる接着剤によって第１の基板に独立して接着される、段落１から１７のいずれか一項に記載のカバーレンズアセンブリ又はディスプレイデバイス。
【００７９】
［００８８］１９．第２のハードコート層及び第２の衝撃吸収層のそれぞれが、犠牲接着層とは異なる接着剤によって第２の基板に独立して接着される、段落１から１８のいずれか一項に記載のカバーレンズアセンブリ又はディスプレイデバイス。
【００８０】
［００８９］２０．第１のハードコート層及び第２のハードコート層のそれぞれが独立して、酸化ケイ素、窒化ケイ素、酸窒化ケイ素、放射線硬化性アクリレート、脂肪族ウレタンアクリレート、それらのコポリマー、それらのエラストマー、及びそれらの任意の組み合わせからなる群から選択される材料を含む、段落１から１９のいずれか一項に記載のカバーレンズアセンブリ又はディスプレイデバイス。
【００８１】
［００９０］２１．第１の基板及び第２の基板のそれぞれが独立して約５μｍから約２００μｍの範囲の厚さを有する、段落１から２０のいずれか１項に記載のカバーレンズアセンブリ又はディスプレイデバイス。
【００８２】
［００９１］２２．第１の基板及び第２の基板のそれぞれが独立して、ポリエチレンテレフタレート、トリアセチルセルロース、ポリカーボネート、ポリイミド、ポリアミド、それらのコポリマー、それらのエラストマー、及びそれらの任意の組み合わせからなる群から選択される材料を含む、段落１から２１のいずれか１項に記載のカバーレンズアセンブリ又はディスプレイデバイス。
【００８３】
［００９２］２３．第１の衝撃吸収層及び第２の衝撃吸収層のそれぞれが独立して、エーテルウレタン、エステルウレタン、脂肪族ウレタン、脂肪族ポリウレタン、脂肪族ポリエステルウレタン、ポリスルフィド熱硬化性樹脂、それらのコポリマー、それらのエラストマー、及びそれらの任意の組み合わせからなる群から選択される材料を含む、段落１から２２のいずれか１項に記載のカバーレンズアセンブリ又はディスプレイデバイス。
【００８４】
［００９３］２４．第１のハードコート層及び第２のハードコート層のそれぞれが独立して、約０．１μｍから約４０μｍの範囲の厚さを有する、段落１から２３のいずれか一項に記載のカバーレンズアセンブリ又はディスプレイデバイス。
【００８５】
［００９４］２５．第１の衝撃吸収層及び第２の衝撃吸収層のそれぞれが独立して、約５μｍから約１２０μｍの範囲の厚さを有する、段落１から２４のいずれか一項に記載のカバーレンズアセンブリ又はディスプレイデバイス。
【００８６】
［００９５］２６．第１のハードコート層及び第２のハードコート層のそれぞれが独立して、約０．１μｍから約４０μｍの範囲の厚さを有する、段落１から２５のいずれか一項に記載のカバーレンズアセンブリ又はディスプレイデバイス。
【００８７】
［００９６］２７．第１の基板及び第２の基板のそれぞれが独立して、約５μｍから約２００μｍの範囲の厚さを有する、段落１から２６のいずれか１項に記載のカバーレンズアセンブリ又はディスプレイデバイス。
【００８８】
［００９７］２８．第１の衝撃吸収層及び第２の衝撃吸収層のそれぞれが独立して、約５μｍから約１２０μｍの範囲の厚さを有する、段落１から２７のいずれか１項に記載のカバーレンズアセンブリ又はディスプレイデバイス。
【００８９】
［００９８］２９．段落１から２８のいずれか１項に記載のカバーレンズアセンブリを備えるディスプレイデバイス。
【００９０】
［００９９］上記は本開示の実施形態を対象とするが、他のさらなる実施形態がその基本的な範囲から逸脱することなく考案され得、その範囲は以下の特許請求の範囲によって決定される。本書に記載のすべての文書は、本書と矛盾しない範囲の全ての優先文書及び／又は試験手順を含め、参照により本書に組み込まれる。前述の一般的な説明及び特定の実施形態から明らかなように、本開示の形態が例示及び記載されているが、本開示の精神及び範囲から逸脱せずに様々な修正を行うことが可能である。したがって、本開示がそれによって限定されることを意図するものではない。同様に、「含む、備える（ｃｏｍｐｒｉｓｉｎｇ）」という用語は、米国法の目的上、「含む（ｉｎｃｌｕｄｉｎｇ）」という用語と同義であると見なされる。同様に、構成、要素、又は要素の群の前に「含む、備える（ｃｏｍｐｒｉｓｉｎｇ）」という移行句が付いている場合は常に、構成、あるいは１又は複数の要素の列挙に先行する「本質的にからなる」、「からなる」、「からなる群から選択される」、又は「である」という移行句を有する同じ構成又は要素の群も考えられ、その逆も同様であることを理解すべきである。
【００９１】
［００１００］特定の実施形態及び特徴は、一組の数値上限及び一組の数値下限を使用して説明されている。特に明記しない限り、任意の２つの値の組み合わせ、例えば、任意の下限値と任意の上限値との組み合わせ、任意の２つの下限値の組み合わせ、及び／又は任意の２つの上限値の組み合わせを含む範囲が考えられることを理解されたい。特定の下限、上限、及び範囲が、以下の１又は複数の請求項に記載されている。
【図１】
2021523413.tif 000003
【図２】
2021523413.tif 000004
【図３】
2021523413.tif 000005
【図４】
2021523413.tif 000006
【図５】
2021523413.tif 000007
【図６】
2021523413.tif 000008
【図７】
2021523413.tif 000009
【図８】
2021523413.tif 000010
【図９】
2021523413.tif 000011
【図１０】
2021523413.tif 000012
【国際調査報告】
2021523413.tif 000013
2021523413.tif 000014
2021523413.tif 000015
2021523413.tif 000016